(57)【要約】本開示の態様は、ネットワークを介してクラウド支援型クエリシステムを実行するアプリケーションサーバと通信するクライアント装置を含むネットワークベースのクラウド支援型クエリシステムに関する。例えば、クラウド支援型クエリシステムは、１つまたは複数のサーバマシンのグループであり得るかそれを含み得る。クラウド支援型クエリシステムのユーザには、データオブジェクトを含むクエリを受け取るように構成されたグラフィックユーザインターフェース（ＧＵＩ）が提示される。データオブジェクトは、ユーザに関心のある未特定アイテムの表現を含む。データオブジェクトは、グラフィック画像やオーディオデータなどのメディアコンテンツを含み得る。いくつかの実施形態では、データオブジェクトは、未特定アイテムを説明するテキストデータを含み得る。
2019536148.tif 000002
【特許請求の範囲】
【請求項１】
システムであって、
１つまたは複数のプロセッサと、
非一時的なメモリであって、
データ属性を有するとともに未特定アイテムを表すデータオブジェクトを含むクエリを第１のクライアント装置から受け取ること、
前記データ属性に基づいて前記データオブジェクトをアイテムカテゴリに割り当てること、
グラフィックユーザインターフェース（ＧＵＩ）内に前記データオブジェクトの表現を表示させることであって、前記ＧＵＩは、前記データオブジェクトの前記アイテムカテゴリの未特定アイテムを代表するグラフィック要素のセットの表示を含む、前記データオブジェクトの表現を表示させること、
前記データオブジェクトによって表された前記未特定アイテムを説明し前記データオブジェクトに適用される説明提示を第２のクライアント装置から前記ＧＵＩを通じて受け取ること、
機械学習データベース内で前記説明提示を前記データオブジェクトに関連付けること、
前記機械学習データベースに基づいて前記未特定アイテムを特定するべく人工知能（ＡＩ）モジュールをトレーニングすること
を含む動作を実行するように前記１つまたは複数のプロセッサを構成する命令を記憶する前記非一時的なメモリと
を備えるシステム。
【請求項２】
前記データオブジェクトは、画像データ、テキスト文字列、または前記画像データと前記テキスト文字列との組み合わせを含む、請求項１に記載のシステム。
【請求項３】
前記クエリを受け取ることは、
前記ＧＵＩを通じた申請として前記クエリを受け取ることを含み、前記申請は、前記データオブジェクトの前記データ属性を含み、前記データ属性は、前記未特定アイテムの前記アイテムカテゴリの表示を含む、請求項１に記載のシステム。
【請求項４】
前記説明提示は第１の説明提示であり、前記機械学習データベースは、前記データオブジェクトに関連付けられた説明提示のセットを含み、
前記命令は、
前記データオブジェクトに関連付けられた前記説明提示のセットのうち前記第１の説明提示を前記データ属性に基づいてランク付けすること、
前記機械学習データベースと前記ランク付けとに基づいて前記ＡＩモジュールをトレーニングすること
をさらに含む動作を前記システムに実行させる、請求項１に記載のシステム。
【請求項５】
前記データオブジェクトに適用される説明提示を受け取ることは、
前記第２のクライアント装置のユーザに関連付けられたユーザプロファイルデータを取得すること、
前記ユーザの前記ユーザプロファイルデータに基づいて前記説明提示の信頼性スコアを決定すること
を含み、
前記第１の説明提示をランク付けすることは、前記信頼性スコアに基づく、請求項４に記載のシステム。
【請求項６】
前記命令は、
前記第１のクライアント装置から前記第１の説明提示の選択を受け取ること
をさらに含む動作を前記システムに実行させ、
前記第１の説明提示をランク付けすることは、前記第１のクライアント装置からの前記選択に基づく、請求項４に記載のシステム。
【請求項７】
前記第１のクライアント装置から前記データオブジェクトを受け取ることは、
前記説明提示に基づき前記データオブジェクトの前記未特定アイテムが特定されることに対して提示される報酬値を前記第１のクライアント装置から受け取ること
を含み、
前記命令は、
前記第１のクライアント装置から前記説明提示の選択を受け取ること、
前記説明提示の選択に基づいて前記未特定アイテムを特定すること、
前記未特定アイテムを特定することに応答して前記第２のクライアント装置に前記報酬値を与えること
をさらに含む動作を前記システムに実行させる、請求項１に記載のシステム。
【請求項８】
前記説明提示の選択を受け取ることは、
前記説明提示を含む検索要求を前記第１のクライアント装置から受け取ること
を含む、請求項７に記載のシステム。
【請求項９】
前記データオブジェクトは第１のデータオブジェクトであり、
前記命令は、
前記第１のクライアント装置から包括的クエリを受け取ることであって、前記クエリが第２のデータオブジェクトを含む、前記包括的クエリを受け取ること、
前記包括的クエリ、前記第２のデータオブジェクト、および前記ＡＩモジュールに基づいて特定クエリを決定すること、
前記特定クエリに基づいて検索結果のセットを取得すること、
をさらに含む動作を前記システムに実行させる、請求項１に記載のシステム。
【請求項１０】
前記アイテムカテゴリはデータオブジェクトのセットを含み、前記データオブジェクトのセットは、前記データオブジェクトの前記データ属性のうちの少なくともいくつかを有する、請求項１に記載のシステム。
【請求項１１】
方法であって、
データ属性を有するとともに未特定アイテムを表すデータオブジェクトを含むクエリを第１のクライアント装置から受け取ること、
前記データ属性に基づいて前記データオブジェクトをアイテムカテゴリに割り当てること、
グラフィックユーザインターフェース（ＧＵＩ）内に前記データオブジェクトの表現を表示させることであって、前記ＧＵＩは、前記データオブジェクトの前記アイテムカテゴリの未特定アイテムを代表するグラフィック要素のセットの表示を含む、前記データオブジェクトの表現を表示させること、
前記データオブジェクトによって表された前記未特定アイテムを説明し前記データオブジェクトに適用される説明提示を第２のクライアント装置から前記ＧＵＩを通じて受け取ること、
機械学習データベース内で前記説明提示を前記データオブジェクトに関連付けること、
前記機械学習データベースに基づいて前記未特定アイテムを特定するべく人工知能（ＡＩ）モジュールをトレーニングすること
を備える方法。
【請求項１２】
前記データオブジェクトは、画像データ、テキスト文字列、または前記画像データと前記テキスト文字列との組み合わせを含む、請求項１１に記載の方法。
【請求項１３】
前記クエリを受け取ることは、
前記ＧＵＩを通じた申請として前記クエリを受け取ることを含み、前記申請は、前記データオブジェクトの前記データ属性を含み、前記データ属性は、前記未特定アイテムの前記アイテムカテゴリの表示を含む、請求項１１に記載の方法。
【請求項１４】
前記説明提示は第１の説明提示であり、前記機械学習データベースは、前記データオブジェクトに関連付けられた説明提示のセットを含み、
前記方法は、
前記データオブジェクトに関連付けられた前記説明提示のセットのうち前記第１の説明提示を前記データ属性に基づいてランク付けすること、
前記機械学習データベースと前記ランク付けとに基づいて前記ＡＩモジュールをトレーニングすること
をさらに備える、請求項１１に記載の方法。
【請求項１５】
前記データオブジェクトに適用される説明提示を受け取ることは、
前記第２のクライアント装置のユーザに関連付けられたユーザプロファイルデータを取得すること、
前記ユーザの前記ユーザプロファイルデータに基づいて前記説明提示の信頼性スコアを決定すること
を含み、
前記第１の説明提示をランク付けすることは、前記信頼性スコアに基づく、請求項１４に記載の方法。
【請求項１６】
前記方法は、
前記第１のクライアント装置から前記第１の説明提示の選択を受け取ること
をさらに備え、
前記第１の説明提示をランク付けすることは、前記第１のクライアント装置からの前記選択に基づく、請求項１４に記載の方法。
【請求項１７】
前記第１のクライアント装置から前記データオブジェクトを受け取ることは、
前記説明提示に基づき前記データオブジェクトの前記未特定アイテムが特定されることに対して提示される報酬値を前記第１のクライアント装置から受け取ること
を含み、
前記方法は、
前記第１のクライアント装置から前記説明提示の選択を受け取ること、
前記説明提示の選択に基づいて前記未特定アイテムを特定すること、
前記未特定アイテムを特定することに応答して前記第２のクライアント装置に前記報酬値を与えること
をさらに備える、請求項１１に記載の方法。
【請求項１８】
前記説明提示の選択を受け取ることは、
前記説明提示を含む検索要求を前記第１のクライアント装置から受け取ること
を含む、請求項１７に記載の方法。
【請求項１９】
マシンの１つまたは複数のプロセッサによって実行されたときに前記マシンに動作を実行させる命令を含む非一時的な機械可読記憶媒体であって、前記動作は、
データ属性を有するとともに未特定アイテムを表すデータオブジェクトを含むクエリを第１のクライアント装置から受け取ること、
前記データ属性に基づいて前記データオブジェクトをアイテムカテゴリに割り当てること、
グラフィックユーザインターフェース（ＧＵＩ）内に前記データオブジェクトの表現を表示させることであって、前記ＧＵＩは、前記データオブジェクトの前記アイテムカテゴリの未特定アイテムを代表するグラフィック要素のセットの表示を含む、前記データオブジェクトの表現を表示させること、
前記データオブジェクトによって表された前記未特定アイテムを説明し前記データオブジェクトに適用される説明提示を第２のクライアント装置から前記ＧＵＩを通じて受け取ること、
機械学習データベース内で前記説明提示を前記データオブジェクトに関連付けること、
前記機械学習データベースに基づいて前記未特定アイテムを特定するべく人工知能（ＡＩ）モジュールをトレーニングすること
を備える非一時的な機械可読記憶媒体。
【請求項２０】
前記データオブジェクトは、画像データ、テキスト文字列、または前記画像データと前記テキスト文字列との組み合わせを含む、請求項１９に記載の非一時的な機械可読記憶媒体。
【発明の詳細な説明】
【技術分野】
【０００１】
本開示の主題は、概してクライアント装置のユーザインターフェースに関する。特に、例示的な実施形態は、クラウド支援型（crowd assisted）の検索クエリを容易にするためにデータオブジェクトを受信および表示するためのユーザインターフェースに関する。
【背景技術】
【０００２】
ネットワークシステムやネットワーク市場に電子的に保存されるデータの量は、非常に大きなものとなっている。電子的に保存されたデータの増加の大部分は、膨大な数の個人が販売用のアイテムを代表するアイテムリストを作成して投稿したことによる直接の結果である。これらネットワークシステムへの検索を試みた人であれば分かるように、電子的に保存されたデータは、利便性が良くかつ正確に検索できない限り実用的には役に立たない。電子データの量が膨大であることやアイテムリストの命名規則が矛盾することが多いことにより、標準の検索方法で特定のアイテムを見つけることが不可能ではないにしても困難となっている。
【図面の簡単な説明】
【０００３】
【図１】例示的な実施形態による、ネットワークを介してクラウド支援型クエリシステムとデータをやり取りするように構成されたクライアントサーバアーキテクチャを有するネットワークシステムを示すネットワーク図である。
【図２】例示的な実施形態による、ネットワークシステムの一部として提供されるクラウド支援型クエリシステムの種々の機能コンポーネントを示すブロック図である。
【図３】例示的な実施形態による、トレーニングデータベースを埋めて人工知能モジュールをトレーニングするための方法を示すフローチャートである。
【図４】例示的な実施形態による、クラウド支援型クエリシステムによってユーザにより提供された説明提示をランク付けするための方法を示すフローチャートである。
【図５】例示的な実施形態による、説明提示によってクエリ要求の未特定アイテムを特定することと引き換えに提供される、クエリ要求に関連付けられた報酬値を受け取るための方法を示すフローチャートである。
【図６】例示的な実施形態による、要求ユーザおよび提示ユーザのイベントフローを示す図である。
【図７】例示的な実施形態による、クエリ要求を受け取るためのユーザインターフェースを示すインターフェース図である。
【図８】例示的な実施形態による、クエリ要求を受け取るためのクエリ要求インターフェースを示すインターフェース図である。
【図９】例示的な実施形態による、クエリ提示を受け取るための提示インターフェースを示すインターフェース図である。
【図１０】例示的な実施形態による、クエリ提示を受け取るように構成された提示インターフェースを示すインターフェース図である。
【図１１】本明細書に記載された方法のうちの１つ以上をマシンに実行させるための命令セットを実行可能なコンピュータシステムの例示的な形態におけるマシンの概略図である。
【発明を実施するための形態】
【０００４】
添付の図面の種々のものは、本開示の例示的な実施形態を単に例示するものであり、本開示の範囲を例示された実施形態に限定することを意図するものではない。むしろ、これらの例は、本開示の範囲内に含まれ得る代替形態、変形形態、および等価物を網羅することを意図する。
【０００５】
本開示の発明の主題を実施するための特定の例示的な実施形態を詳細に説明する。以下では、主題の完全な理解を提供するために具体的な詳細を説明するが、これらの具体的な詳細の一部または全部がなくても実施形態を実施できることが理解され得る。
【０００６】
本開示の態様は、ネットワークベースのクラウド支援型クエリシステムに関する。このネットワークベースのクラウド支援型クエリシステムは、ネットワークを介してクラウド支援型クエリシステムを実行するアプリケーションサーバと通信するクライアント装置を含む。例えば、クラウド支援型クエリシステムは、１つまたは複数のサーバマシンのグループであり得るか、またはそのグループを含み得る。クラウド支援型クエリシステムのユーザには、データオブジェクトを含むクエリを受け取るように構成されたグラフィックユーザインターフェース（ＧＵＩ）が提示される。データオブジェクトは、ユーザに関心のある未特定アイテムの表現を含む。データオブジェクトは、グラフィック画像やオーディオデータなどのメディアコンテンツを含み得る。さらに、いくつかの例示的な実施形態は、未特定アイテムを説明するテキストデータを含み得る。
【０００７】
クラウド支援型クエリシステムは、少なくとも２つの異なるＧＵＩ、すなわち、クライアント装置からクエリ要求を受け取るための第１のＧＵＩと、クライアント装置からクエリに関する説明提示を受け取るための第２のＧＵＩとをクライアント装置において生成して表示させるように構成されている。例えば、クライアント装置からクエリ要求を受け取るための第１のＧＵＩは、クエリに付加されるメディアコンテンツ（例えば、グラフィック画像、写真、オーディオコンテンツ）やそのメディアコンテンツの特徴をさらに説明するテキストデータなどのデータオブジェクトをユーザが提供（例えば、アップロード）できるようにする１つまたは複数のフィールドを含み得る。メディアコンテンツは、ユーザは特定することができないがユーザに関心のあるアイテムを表し得る。例えば、ユーザによってアップロードされるメディアコンテンツは、椅子の写真および／または「革張りのラウンジチェア」を説明したテキスト文字列を含み得る。いくつかの例示的な実施形態では、ＧＵＩは、「家具」、「宝石類」、または「衣服」など、クエリのデータオブジェクトを分類するためのユーザ選択可能オプションをさらに含み得る。単一のデータオブジェクトは、１つまたは複数の関連するデータカテゴリを有し得る。
【０００８】
第２のＧＵＩは、ユーザによってアップロードされたクエリにおけるデータオブジェクトの表現の提示を含み、カテゴリによって編成され得るとともに、データオブジェクトによって表された未特定アイテムに詳しいユーザからの説明提示を受け取るためのフィールドを含むように構成され得る。例えば、説明提示は、データオブジェクトによって表された未特定オブジェクトを説明するテキストの文字列（例えば、「イームズチェア（Eames Chair）」）とともにそのデータオブジェクトの説明に適合するアイテムへの参照（例えば、類似アイテムのアイテムリストへのリンク）を含み得る。提示ユーザは、第２のＧＵＩ内に表示されたデータオブジェクトの表現を閲覧し、第２のＧＵＩへのユーザ入力を介して説明提示を提供することができる。
【０００９】
クラウド支援型クエリシステムは、要求ユーザからのデータオブジェクトを含むクエリを第１のクライアント装置から第１のＧＵＩを介して受信する。データオブジェクトは、要求ユーザにとって興味のある未特定アイテムを表すメディアコンテンツを含む。クエリを受信すると、クラウド支援型クエリシステムは、そのクエリからデータオブジェクトを解析し、データオブジェクトの属性に基づいてそのデータオブジェクトをアイテムカテゴリに割り当てる。例えば、この属性は、データオブジェクト自体の特徴（例えば、画像の画像データ）や、要求ユーザによって行われたアイテムカテゴリの選択（例えば、「衣服」、「家具」など）を含み得る。
【００１０】
クエリからデータオブジェクトを受信して分類すると、クラウド支援型クエリシステムは、提示ユーザから説明提示を受け取るために、クエリを表示するための要求を第２のＧＵＩ内にて受け付けることができる。例えば、提示ユーザは、指定されたカテゴリ（例えば、「服」、「家具」）のクエリからのデータオブジェクトの表現をクラウド支援型クエリシステムに表示させるように要求するユーザ入力を第２のＧＵＩ内に行い得る。このデータオブジェクトの表現は、説明提示を提供するためのフィールドを含む。提示ユーザは、データオブジェクトを閲覧して、テキスト文字列を含む説明提示とともに、存在するアイテムリストへの参照を提供し得る。
【００１１】
クラウド支援型クエリシステムは、要求ユーザのクライアント装置に対して通知を表示するとともに、クエリに対して受け取った説明提示のセットの表現を表示させ得る。これにより、要求ユーザは、利用可能な説明提示をレビューし、所望の未特定アイテムに一致する「最良の」説明を選択することができる。要求ユーザは、提示ユーザによって提供された説明提示を閲覧し、画像内に示された未特定アイテムに最もよく一致する説明提示を選択することができる。例えば、要求ユーザは、ユーザ入力を介して説明提示を明示的に選択することができる。あるいは、いくつかの実施形態では、クラウド支援型クエリシステムは、要求ユーザにより行われた、説明提示を含む検索要求または購入取引を検出することができる。
【００１２】
いくつかの例示的な実施形態では、要求ユーザから受け付けたクエリは、要求ユーザによって割り当てられた報酬値を含む。この報酬値は、説明提示と引き換えに提示ユーザに提供される。これにより、要求ユーザは、クエリに対して提供された説明提示をレビューして「最良の」一致を選択することができる。この選択を受け付けることに応答して、報酬値が、対応する提示ユーザにクラウド支援型クエリシステムによって与えられる。
【００１３】
要求ユーザによる説明提示の選択を受け付けると、クラウド支援型クエリシステムは、データオブジェクトに関連付けられた説明提示をランク付けする。例えば、要求ユーザによって選択された説明提示は、要求ユーザによって選択されなかった説明提示よりも高くランク付けされ得る。いくつかの例示的な実施形態では、要求ユーザは、特定の説明提示がクエリと一致しないことを示すユーザ入力を行ってもよく、また任意で、その説明提示を削除すべきであることを示すユーザ入力を行ってもよい。
【００１４】
さらなる例示的な実施形態では、説明提示はさらに、提示ユーザの属性に基づきランク付けされてもよい。ユーザ属性には、提示ユーザが説明提示を投稿する頻度や、提示ユーザの説明提示が選択される割合や、提示ユーザの専門分野（例えば、「衣服」、「家具」、「技術」）などが含まれ得る。例えば、頻繁に選択される説明提示を投稿する提示ユーザからの説明提示は、初めての提示ユーザによる説明提示よりも高くランク付けされ得る。
【００１５】
ユーザの観点による実例として、以下の例について検討する。ユーザは、自分が好きなアイテム、例えば椅子を見る場合、そのアイテムを見つけるためにネットワーク市場内で何を検索すべきかを判断できない。ユーザは、モバイルデバイスで椅子の写真を撮り、その椅子の画像をクラウド支援型検索システムのＧＵＩにアップロードする。また、ユーザは、椅子の写真をアップロードする際に、椅子のアイテムカテゴリ（例えば、家具）や自分が探しているものをさらに表すための説明情報（例えば、「革張りで６０年代のモダンなラウンジチェア」）を示すユーザ入力を行い得る。ユーザは、椅子の写真に「報奨金」（例えば、報酬値）を付ける。この報奨金は、ユーザがまさに探しているものを特定する説明提示を提供する提示ユーザのグループと引き換えに提供される。例えば、説明提示が要求ユーザによって選択された場合に、その報奨金が提示ユーザに与えられる。
【００１６】
椅子の写真をＧＵＩにアップロードした後、クラウド支援型クエリシステムは（例えば、アイテムカテゴリに基づき）他の類似アイテムが入れられているフィード内に椅子の表現を表示させる。提示ユーザは、フィードを閲覧して、アイテムについてそれらを特定可能な説明提示を提供し得る。例えば、提示ユーザは、要求ユーザによってアップロードされた椅子の写真へと移動し、その写真および説明情報に基づいて、何を検索しているのかを知ることができる。そして、提示ユーザは、写真内の椅子に一致するテキスト文字列あるいはその椅子に一致するアイテムまたはアイテムリストへの参照を含む説明提示を提供することができる。提示ユーザは、「イームズチェア」を示すテキスト文字列、または一致するアイテムに関するアイテムリストへと導くユニフォームリソースロケータ（ＵＲＬ）を提供し得る。こうして、提示ユーザは、要求ユーザから受け取った椅子の写真の表現に対する説明提示を提供する。
【００１７】
クラウド支援型クエリシステムは、１つまたは複数の説明提示を提示ユーザから受け取ったことを要求ユーザに通知する。要求ユーザは、自身が探していたアイテムに最も緊密に一致する利用可能な「最良の」説明を選択するために、利用可能な説明提示をレビューする。要求ユーザは、説明提示が間違っている場合を示す入力や、説明提示が正しい場合を示す入力を提供することができる。クラウド支援型クエリシステムは、説明提示のうちの１つ以上を要求ユーザが選択することに応答して、ネットワーク市場の検索または検索エンジンを実行し得る。そして、クラウド支援型クエリシステムは、要求ユーザが探していたアイテムに「イームズチェア」に関する説明提示が一致すると判断すると、対応する提示ユーザに報奨金を与える。
【００１８】
クラウド支援型クエリシステムは、椅子の写真が「イームズチェア」であることを説明提示が示していると判断すると、人工知能（ＡＩ）データベース内でその説明提示を椅子の写真に関連付ける。このように、クラウド支援型クエリシステムは、説明提示とデータオブジェクト（例えば、要求ユーザから要求された写真やメディアアイテム）をＡＩデータベース内に入力する。最終的に、クラウド支援型クエリシステムは、十分な入力（例えば、要求および提示）を用いて画像検索ＡＩをトレーニングすることにより、視覚検索のみに基づいてアイテムを特定できるようになり、これにより、ユーザがアイテムの画像を提供すると、システムは画像のみに基づいてアイテムが何であるかを、単に「椅子」または「シャツ」とするよりもはるかに優れた特定性で特定できるようになる。
【００１９】
図１は、例示的な実施形態による、ネットワーク１０２を介してアプリケーションサーバ１０４とデータをやり取りするように構成されたクライアントサーバアーキテクチャを有するネットワークシステム１００を示すネットワーク図である。図示されたネットワークシステム１００は、クライアントサーバアーキテクチャを有するが、本発明の主題は、勿論そのようなアーキテクチャに限定されず、例えば、イベント駆動型、分散型、またはピアツーピアのアーキテクチャシステムなどにも同様に適用することができる。さらに、不必要な詳細で本発明の主題を不明瞭にすることを避けるために、本発明の主題の理解を伝えることに密接に関係しない種々の機能コンポーネントは図１から省略されている。また、ネットワークシステム１００の種々の機能コンポーネントを単数で説明するが、種々の機能コンポーネントのうちの任意の１つを複数として採用することができる。
【００２０】
図示されるように、ネットワークシステム１００は、ネットワーク１０２を介してクライアント装置１０６および第三者サーバ１０５と通信するアプリケーションサーバ１０４を含む。アプリケーションサーバ１０４は、ネットワークシステム１００およびそのユーザに関連付けられた種々の機能および特徴に関連するネットワークシステム１００内のエンティティと通信してデータを交換する。これらのデータ交換は、ネットワークシステム１００のコンテンツやユーザに関するデータの送受信（通信）や処理を含み得る。
【００２１】
アプリケーションサーバ１０４は、ネットワーク１０２（例えば、インターネット）を介して、クライアント装置１０６，１０８などのクライアント装置にサーバ側機能を提供するためのクラウド支援型クエリシステム１１０を含む。
【００２２】
クライアント装置１０６，１０８は、コンテンツを表示するとともにユーザ入力を受け取るための入出力コンポーネント（例えば、タッチスクリーン）と、アプリケーションサーバ１０４と相互作用するように特別に設計されたクラウド支援型クエリアプリケーション１１２とを含む任意の種類のモバイルデバイス（例えば、スマートフォン、タブレットコンピュータ、またはウェアラブルデバイス）とすることができる。例えば、ユーザ１０７またはユーザ１０９は、クライアント装置１０６，１０８上で実行するクラウド支援型クエリアプリケーション１１２を使用して、アプリケーションサーバ１０４により生成されたＧＵＩを介して、クエリまたはそのクエリに対する提示をアップロードすることができる。いくつかの実施形態では、クラウド支援型クエリアプリケーション１１２は、クライアント装置１０６によって実行されたときに本明細書に記載の方法のうちのいずれかを実行するようにクライアント装置１０６を構成することができる。
【００２３】
アプリケーションサーバ１０４に注目すると、アプリケーションサーバ１０４は、クラウド支援型クエリシステム１１０およびデータベース１２０を含む。いくつかの実施形態では、アプリケーションサーバ１０４は、アプリケーションプログラミングインターフェース（ＡＰＩ）サーバ、および／または、クラウド支援型クエリシステム１１０に（例えば、有線または無線インターフェースを介して）結合されクライアント装置１０６，１０８にそれぞれプログラムインタフェースおよび／またはウェブインターフェースを提供するウェブサーバを含み得る。いくつかの実施形態では、アプリケーションサーバ１０４は、クラウド支援型クエリシステム１１０に結合されデータベース１２０へのアクセスを支援するデータベースサーバも含み得る。データベース１２０は、アプリケーションサーバ１０４の内部または外部に位置し得る複数のデータベースを含み得る。
【００２４】
クラウド支援型クエリシステム１１０は、アプリケーションサーバ１０４にアクセスするユーザ（例えば、ユーザ１０７）に対してナビゲーションサービスを提供するサーバ側ナビゲーションメニューアプリケーションなどの１つまたは複数のアプリケーションをホストする。例えば、ユーザ１０７は、クライアント装置１０６で実行されるクラウド支援型クエリアプリケーション１１２を使用して、データオブジェクトのセット（例えば、メディアコンテンツ、報酬値など）を含むクエリ要求をアップロードするためのインターフェースを表示させることができる。ユーザ１０７は、例えば、クライアント装置１０６のインターフェースを介して画像や説明情報などをアップロードすることができる。ユーザ１０９は、クライアント装置１０８で実行されるクラウド支援型クエリアプリケーション１１２を使用して、ユーザから受け取ったクエリ要求を表示するように構成されたインターフェースを介して説明提示を提供することができる。例えば、インターフェースは、閲覧可能なフィード内の１つまたは複数のクエリ要求の提示を含み得る。
【００２５】
データベース１２０は、ネットワークシステム１００およびそのユーザに関連付けられた種々の機能および特徴に関連するデータを記憶する。例えば、データベース１２０は、アイテムリストおよびネットワーク市場の在庫情報を記憶するデータベースとともに、クラウド支援型クエリシステム１１０のＡＩモジュールをトレーニングするためのトレーニングデータを含むＡＩデータベースを含み得る。各ユーザアカウントのレコードは、特定のユーザの特徴を記述した情報を含むデータ構造である。
【００２６】
図１はさらに、クラウド支援型クエリシステム１１０またはクライアント装置１０６のユーザに情報またはサービスを提供可能な第三者サーバ１０５で実行される第三者アプリケーション１２４を示す。例えば、第三者アプリケーション１２４は、ネットワークベースの市場などのクライアント装置１０６のユーザと取引を行うかまたはそれらのユーザにサービスを提供する任意の組織と関連付けられ得る。いくつかの実施形態では、ユーザに提供された報奨金は償還されてもよいし、あるいは第三者アプリケーション１２４とともに使用されてもよい。
【００２７】
図２は、クラウド支援型クエリシステム１１０の複数のコンポーネントを示すブロックである。いくつかの例示的な実施形態によれば、これらのコンポーネントは、データオブジェクトを含むクエリ要求を受け取るためのクエリ要求インターフェースをクライアント装置１０６に提供し、クライアント装置１０８の提示インターフェース内にクエリ要求のフィードを生成して表示させ、説明提示を受け取って、その説明提示をデータベース１２０内のデータオブジェクトに関連付け、画像ベース検索を行うためのＡＩモジュールをトレーニングするようにクラウド支援型クエリシステム１１０を構成する。図示されるクラウド支援型クエリシステム１１０は、通信モジュール２０５と、分類化モジュール２１０と、提示モジュール２１５と、人工知能（ＡＩ）モジュール２２０と、ランク付けモジュール２２５とを含み、これらはすべて（例えば、バス、共有メモリ、またはスイッチを介して）互いに通信するように構成されている。これらのモジュールの任意の１つ以上は、１つまたは複数のプロセッサ２３０を使用して（例えば、そのような１つまたは複数のプロセッサをそのモジュールについて説明された機能を実現するように構成することによって）実装され得る。したがって、これらのモジュールの任意の１つ以上は、複数のプロセッサ２３０のうちの１つ以上を含み得る。
【００２８】
上記したモジュールのうちの任意の１つ以上は、専用ハードウェアのみ（例えば、マシンの複数のプロセッサ２３０のうちの１つ以上）か、またはハードウェアとソフトウェアとの組み合わせを使用して実装され得る。例えば、クラウド支援型クエリシステム１１０の上記したモジュールは、そのモジュールについて本明細書に説明する動作を実行するように構成された複数のプロセッサ２３０のうちの１つ以上（例えば、マシンの１つまたは複数のプロセッサによるサブセットか、またはマシンの１つまたは複数のプロセッサ内のもの）の構成を物理的に含み得る。別の例として、クラウド支援型クエリシステム１１０のモジュールは、そのモジュールについて本明細書で説明する動作を実行する１つまたは複数のプロセッサ２３０（例えば、マシンの１つまたは複数のプロセッサ内のもの）の構成を実現するソフトウェア、ハードウェア、またはその両方を含み得る。したがって、クラウド支援型クエリシステム１１０の異なるモジュールは、異なる時点においてそのようなプロセッサ２３０の異なる構成またはそのようなプロセッサ２３０の単一の構成を含み得るか構成し得る。さらには、クラウド支援型クエリシステム１１０の任意の２つ以上のモジュールを単一のモジュールに組み合わせてもよいし、あるいは単一のモジュールについて本明細書で説明する機能を複数のモジュールに細分化してもよい。さらに、種々の例示的な実施形態によれば、本明細書に記載のモジュールは、単一のマシン、単一のデータベース、または単一のデバイス内に実装されているが、複数のマシン、複数のデータベース、または複数のデバイスに分散されていてもよい。
【００２９】
図３は、例示的な実施形態による、トレーニングデータベースを埋めてＡＩモジュールをトレーニングするための方法３００を示すフローチャートである。方法３００は、この方法３００のステップがクライアント装置１０６またはクラウド支援型クエリシステム１１０の機能コンポーネント（例えば、モジュール）によって部分的にまたは全体的に実行され得るように１つまたは複数のプロセッサ（例えば、図２のプロセッサ２３０）が実行するためのコンピュータ可読命令で具現化され得る。以下では、参照による例として方法３００を説明するが、方法３００は他の種々のハードウェア構成に展開することができ、クライアント装置１０６またはクラウド支援型クエリシステム１１０の機能コンポーネントに限定されることを意図していない。
【００３０】
動作３０５において、通信モジュール２０５は、クライアント装置１０６からのクエリ要求を受信する。クエリ要求は、要求ユーザにとって関心のあるアイテムを表す１つまたは複数のデータオブジェクトを含み得る。関心のあるアイテムとは、ユーザは検索したいがどのように検索してよいか分からない未特定アイテムであり得る。例えば、関心のあるアイテムとは、ユーザ１０７が見て写真を撮る椅子であり得る。クラウド支援型クエリシステム１１０は、クライアント装置１０６にクエリ要求インターフェースを表示させる。クエリ要求インターフェースは、アイテムを表すデータオブジェクトをアップロードするためのフィールドを含む。例えば、データオブジェクトは、画像やテキスト文字列とともにアイテムカテゴリの選択を含み得る。いくつかの例示的な実施形態では、ユーザ１０７は、クエリ要求に割り当てられ、そのクエリ要求に示されたアイテムが提示ユーザによって特定されたことと引き換えに提供される報酬値をさらに提供し得る。
【００３１】
動作３１０において、分類化モジュール２１０は、クエリ要求のデータオブジェクトに基づいてクエリ要求をアイテムカテゴリに割り当てる。例えば、分類化モジュール２１０は、画像およびオブジェクト認識技術をもとに（例えば、ユーザ１０７がアイテムカテゴリを提供していない場合は）画像データのみに基づいてクエリ要求を割り当て得る。例えば、ＡＩモジュール２２０は、ユーザ１０７によって提供された画像に示されたアイテムに最も良く一致するアイテムカテゴリを特定するために畳み込みニューラルネットワークを適用し得る。いくつかの実施形態では、分類化モジュール２１０は、ユーザ１０７によって選択されたカテゴリ、またはユーザ１０７によって提供されたテキスト記述に基づいてクエリ要求を単純に分類化し得る。
【００３２】
動作３１５において、提示モジュール２１５は、クライアント装置１０８に提示インターフェースを表示させる。ユーザ１０９は、例えば、要求ユーザからの１つまたは複数のクエリ要求に対して説明提示を提供することを希望する提示者であり得る。ユーザ１０９は、クエリ要求カテゴリを選択し得る。この選択に応答して、提示モジュール２１５は、選択されたクエリ要求カテゴリに割り当てられた１つまたは複数のクエリ要求の表現を含むフィードを表示させる。クエリ要求の表現は、各クエリ要求に関連付けられた画像と、対応する報酬値と、要求ユーザがクエリ要求で提供した任意のテキスト情報とを含み得る。ユーザ１０９は、フィードをスクロールして、説明提示を行いたい１つまたは複数のクエリ要求を選択し得る。
【００３３】
動作３２０において、通信モジュール２０５は、ユーザ１０９からの説明提示を受信する。例えば、ユーザ１０９は、クライアント装置１０８の提示インターフェースに提示されたクエリ要求のセットの中から１つのクエリ要求を選択し得る。クエリ要求のセットの中からクエリ要求を選択したことに応答して、提示モジュール２１５は、そのクエリ要求に示されたアイテムを特定する説明提示を提供するための１つまたは複数のフィールドをユーザ１０９に対して表示する。この説明提示は、テキスト文字列や、第三者サーバ１０５におけるアイテムへの参照（例えば、ＵＲＬ）を含み得る。
【００３４】
動作３２５において、分類化モジュール２１０は、ユーザ１０９により提供された説明提示をデータベース（例えば、データベース１２０）内のクエリ要求のデータオブジェクトと関連付ける。例えば、データベース１２０は、テキストまたはオーディオ入力（例えば、自然言語音声）に基づいて、あるいは画像データのみに基づいてアイテムを正確に特定するためにＡＩモジュール２２０をトレーニングするのに使用可能なＡＩデータベースを含み得る。動作３３０において、クラウド支援型クエリシステム１１０は、データベース１２０に基づいてＡＩモジュール２２０をトレーニングする。例えば、クラウド支援型クエリシステム１１０は、データベース１２０を使用して、説明提示と画像データとの間の相関関係を決定し得る。これにより、その相関関係を適用してＡＩモジュール２２０をトレーニングすることができる。
【００３５】
図４は、例示的な実施形態による、クラウド支援型クエリシステム１１０によってユーザ１０９により提供された説明提示をランク付けするための方法４００を示すフローチャートである。方法４００は、この方法４００のステップがクライアント装置１０６またはクラウド支援型クエリシステム１１０の機能コンポーネント（例えば、モジュール）によって部分的にまたは全体的に実行され得るように１つまたは複数のプロセッサ（例えば、プロセッサ２３０）が実行するためのコンピュータ可読命令により具現化され得る。以下では、参照による例として方法４００を説明するが、方法４００は他の種々のハードウェア構成に展開することができ、クライアント装置１０６またはクラウド支援型クエリシステム１１０の機能コンポーネントに限定されることを意図していない。
【００３６】
方法４００の１つまたは複数の動作４０５，４１０，４１５は、いくつかの例示的な実施形態によれば、クラウド支援型クエリシステム１１０がＡＩモジュール２２０をトレーニングする方法３００の一部（例えば、先行タスク、サブルーチン、または一部分）として実行することができる。
【００３７】
動作４０５において、図３で説明した動作３２０においてユーザ１０９から説明提示を受信することに応答して、通信モジュール２０５は、ユーザ１０９に関連付けられたユーザプロファイルにアクセスしてユーザプロファイルデータを取得する。ユーザプロファイルデータは、ユーザ１０９が説明提示を提供したクエリ要求カテゴリのリスト、要求者によって選択されたユーザ１０９の説明提示の数、およびユーザ１０９の専門分野を含み得る。
【００３８】
動作４１０において、ランク付けモジュール２２５は、ユーザプロファイルデータに基づいて、クエリ要求に対してユーザ１０９によって提供された説明提示の信頼性スコアを計算する。ランク付けモジュール２２５は、ユーザ１０９による説明提示の数、要求者によって選択されたユーザ１０９の説明提示の数、およびユーザ１０９の専門分野に基づいて、信頼性スコアを計算し得る。例えば、ユーザ１０９が有する専門分野は、そのユーザ１０９が経験または知識を有するアイテムカテゴリを示す。専門分野は、ユーザ１０９による明示的な選択または指示に基づいて決定されてもよいし、あるいはユーザフィードバックに基づいて決定されてもよい（例えば、ユーザは特定のアイテムカテゴリでユーザ１０９を宣伝してもよい）。
【００３９】
説明提示の信頼性スコアを計算した後、動作４１５において、ランク付けモジュール２２５は、クエリ要求に関連付けられている１つまたは複数の説明提示に対して説明提示をランク付けする。例えば、多数の提示ユーザが任意の１つのクエリ要求に対して説明提示を提供し得る。クラウド支援型クエリシステム１１０は、ランク付けモジュール２２５によって計算された信頼性スコアに基づいて説明提示をランク付けすることで、正確な説明提示を表面化してより迅速に特定することが可能となる。いくつかの例示的な実施形態では、提示モジュール２１５は、ランク付けモジュール２２５によるランク付けに基づいた順序で説明提示をユーザ１０７に表示させる。
【００４０】
図５は、例示的な実施形態による、説明提示によってクエリ要求の未特定アイテムを特定することと引き換えに提供される、クエリ要求に関連付けられた報酬値を受け取るための方法５００を示すフローチャートである。方法５００は、この方法５００のステップがクライアント装置１０６またはクラウド支援型クエリシステム１１０の機能コンポーネント（例えば、モジュール）によって部分的にまたは全体的に実行され得るように１つまたは複数のプロセッサ（例えば、プロセッサ２３０）が実行するためのコンピュータ可読命令により具現化され得る。以下では、参照による例として方法５００を説明するが、方法５００は他の種々のハードウェア構成に展開することができ、クライアント装置１０６またはクラウド支援型クエリシステム１１０の機能コンポーネントに限定されることを意図していない。
【００４１】
方法５００の１つまたは複数の動作５０５，５１０，５１５は、いくつかの例示的な実施形態によれば、クラウド支援型クエリシステム１１０がクライアント装置１０６においてナビゲーションメニューを生成して表示させる方法３００の一部（例えば、先行タスク、サブルーチン、または一部分）として実行することができる。
【００４２】
動作５０５において、通信モジュール２０５は、クライアント装置１０６からクエリ要求とともに報酬値を受信する。クエリ要求は、ユーザ１０７によって指定された報酬値を含む１つまたは複数のデータオブジェクトを含み得る。報酬値は、クエリ要求に関連付けられたアイテム（またはサービス）の特定と引き換えにユーザ１０７によって提示される量である。例えば、ユーザ１０７は、ユーザ１０７からのクエリ要求で表されたアイテムを特定することができるユーザに対して、またはユーザ１０７からのクエリ要求で表されたアイテムと一致する説明提示を提供することができるユーザに対して１ドルを提示し得る。
【００４３】
動作５１０において、ユーザ１０７は、ユーザ１０９を含むユーザから受信した１つまたは複数の説明提示の中から１つの説明提示を選択する。例えば、提示ユーザは、説明提示を提供するためにクラウド支援型クエリシステム１１０によって表示された提示インターフェース内でユーザ１０７からのクエリ要求を見ることができる。クラウド支援型クエリシステム１１０は、受信した説明提示を要求ユーザ（ユーザ１０７）に通知して、その説明提示の表示を含み得る通知をクライアント装置１０６に表示させる。これにより、ユーザ１０７は、受信した説明提示をレビューして、クエリ要求に一致する「最良の」説明提示を選択することができる。
【００４４】
いくつかの例示的な実施形態では、ユーザ１０７による選択は、提示モジュール２１５によって提供されるインターフェースを介した説明提示の明示的な選択に基づくものとすることができる。例えば、提示モジュール２１５は、ユーザ１０７が選択可能な１つまたは複数の説明提示のセットを含むインターフェースをクライアント装置１０６に表示させ得る。さらなる実施形態では、この選択は、ユーザ１０７による検索要求または取引に基づくものであってもよい。例えば、ユーザ１０７は、説明提示のセットの中の１つの説明提示に基づいて検索要求を行ったり、またはそれら説明提示の中の１つの説明提示（例えば、その説明提示を含むタイトルまたは説明を含む）によって特定されたアイテムを購入したりしてもよい。
【００４５】
動作５１５において、ユーザ１０７から説明提示の選択を受信すると、クラウド支援型クエリシステム１１０は、選択された説明提示に基づいて適切なユーザに報酬値を与える。例えば、クラウド支援型クエリシステム１１０は、選択された説明提示を提供したユーザに報酬値を与え得る。クラウド支援型クエリシステム１１０は、例えば、要求ユーザに関連付けられた金融口座にアクセスして報酬値を取得し、選択された説明提示を提供したユーザにその報酬値を送信し得る。
【００４６】
図６は、例示的な実施形態による、要求ユーザ（例えば、ユーザ１０７）および提示ユーザ（例えば、ユーザ１０９）のイベントフロー６００を示す図である。イベントフロー６００は、クライアント装置１０６，１０８を介してユーザ１０７，１０９により実行され得る。
【００４７】
要求ユーザ（例えば、ユーザ１０７）は、クラウド支援型クエリシステム１１０にクエリ要求を申請する。このクエリ要求を申請するために、動作６０５において、ユーザ１０７は、アイテムの写真を撮り（または選択して）、その写真を（例えば、クライアント装置１０６を介して）クラウド支援型クエリシステム１１０にアップロードする。いくつかの実施形態では、ユーザ１０７は、写真および／またはそのアイテムを示すまたは説明するメディアアイテムをアップロードすることができる。例えば、写真の代わりに（あるいは補充として）、ユーザ１０７は、アイテムを説明する音声またはテキストデータ（例えば、「赤いパティオチェア（patio chair）で脚が３つのもの」と説明するテキストまたは音声）を提供することができる。
【００４８】
クエリ要求とともに写真をアップロードした後、動作６１５において、ユーザ１０７は要求の詳細を編集する。この要求の詳細は、アイテムカテゴリ情報と、アイテムの説明を含むテキストデータとを含む。例えば、ユーザ１０７は、クエリ要求に関するアイテムカテゴリ（例えば、「家具」）を選択し得る。
【００４９】
動作６２０において、提示ユーザ（例えば、ユーザ１０９）は、クライアント装置１０８でクラウド支援型クエリアプリケーション１１２を起動する。提示ユーザが動作６２５においてカテゴリを選択すると、動作６３０においてクラウド支援型クエリシステム１１０は、ユーザ１０９によって選択されたアイテムカテゴリに関連付けられたクエリ要求のフィードを表示させる。いくつかの実施形態では、提示ユーザは、複数のアイテムカテゴリを選択してフィード内でそれらを同時に見ることができる。
【００５０】
動作６３５において、提示ユーザは、要求ユーザ（例えば、ユーザ１０７）によって申請されたクエリ要求などのクエリ要求を選択する。クラウド支援型クエリシステム１１０は、この選択を受け付けると、要求ユーザによってアップロードされた写真の表現や説明情報などの追加のアイテム詳細を含むアイテム詳細ページを表示させる。動作６４０において、提示ユーザは、クエリ要求に対する提示を開始するための入力を行う。動作６４５において、提示ユーザは、選択されたクエリ要求に関連付けられた提示を入力してアップロードする。この提示は、テキスト文字列や、第三者サーバ１０５に位置するアイテムへの参照を含み得る。動作６５０において、提示ユーザ１０９は提示プロセスを終了する。いくつかの実施形態では、動作６５５において、提示ユーザは、選択されたクエリ要求に関連付けられた他の提示ユーザからの１つまたは複数の提示を閲覧することができる。提示プロセスの終了に応答して、クラウド支援型クエリシステム１１０は、クライアント装置１０６に提示される通知を介して要求ユーザに提示を通知する。
【００５１】
動作６６０において、要求ユーザは、アップロードされたクエリ要求に関連付けられたすべての提示を閲覧することができる。これらの提示は、要求ユーザが提示を「好む」または「好まない」を示すことができるようなフィードで要求ユーザに表示され得る。例えば、動作６６５において、要求ユーザは提示を「好まない」を示し得る。この場合、その提示は提示セットから削除される。あるいは、動作６７０において、要求ユーザは、提示を「好む」を示し得る。この場合、その提示がクエリ要求の写真にリンク付けされる。
【００５２】
図７は、例示的な実施形態による、クエリ要求を受け取るためのユーザインターフェース７００を示すインターフェース図である。ユーザインターフェース７００は、クライアント装置１０６などのタッチ対応モバイルデバイス上に提示され得る。図示されたユーザインターフェース７００は、検索要求フィールド７０５と、自動クエリ提示７１０と、ユーザ１０７からクエリ要求を受け取るためのグラフィックアイコン７１５とを含む。
【００５３】
ユーザ１０７は、ユーザインターフェース７００の検索要求フィールド７０５内に検索要求を提供することができる。検索要求が提供されると、クラウド支援型クエリシステム１１０は、その検索要求に基づいてクエリ提示７１０のセットを表示し得る。クエリ提示７１０のセットは、ユーザ１０７の取引履歴と、検索要求フィールド７０５に入力された検索要求とに基づき得る。これに代えて、ユーザ１０７は、グラフィックアイコン７１５への入力を介してクエリ要求を開始することを選択してもよい。
【００５４】
図８は、例示的な実施形態による、クエリ要求を受け取るためのクエリ要求インターフェース８００（例えば、クライアント装置１０６に表示される）を示すインターフェース図である。図示されたクエリ要求インターフェース８００は、要求ユーザ（例えば、ユーザ１０７）によってアップロードされた画像８０５と、クエリ要求に割り当てる報酬値を受け付けるための報酬入力フィールド８１０と、クエリ要求に関連付けられたアイテムカテゴリの選択を受け付けるためのカテゴリ選択メニュー８１５との表示を含む。
【００５５】
いくつかの例示的な実施形態では、クエリ要求インターフェース８００は、例えば図７のグラフィックアイコン７１５を介してクエリ要求を開始するユーザ入力を受け付けたことに応答してクライアント装置１０６に表示される。クエリ要求インターフェース８００は、クエリ要求を受け付けるように構成されている。クエリ要求は、画像８０５、オブジェクトカテゴリ、テキストデータ、報酬値などのデータオブジェクトを含む。例えば、ユーザ１０７は、アップロードする画像を選択した後、その画像（またはその画像の特定の特徴）を説明する追加のテキストデータを提供することができる。ユーザ１０７は、報酬入力フィールド８１０内に報酬値を提供し、カテゴリ選択メニュー８１５を介してアイテムカテゴリを指定することができる。クラウド支援型クエリシステム１１０は、例えば、カテゴリ選択メニュー８１５の選択を受け付けると、ユーザ１０７が１つ以上選択可能なオブジェクトカテゴリのセットを表示し得る。
【００５６】
図９は、例示的な実施形態による、クエリ提示を受け取るように構成された提示インターフェース９００（例えば、クライアント装置１０８に表示される）を示すインターフェース図である。図９に示されるように、図示された提示インターフェース９００は、アイテムカテゴリ９０５を代表するグラフィック要素のセットを含む。提示ユーザ（例えば、ユーザ１０９）は、アイテムカテゴリ９０５のセットの中から１つのアイテムカテゴリを選択することができる。アイテムカテゴリが選択されると、クラウド支援型クエリシステム１１０は、選択されたアイテムカテゴリに割り当てられた対応するクエリ要求のセットを表示させる。これにより、提示ユーザは、クエリ要求のセットを見て、対応する報酬値との引き換えにクエリ提示を提供することができる。
【００５７】
図１０は、例示的な実施形態による、クエリ提示を受け取るように構成された提示インターフェース９００を示すインターフェース図である。図示された提示インターフェース９００は、要求ユーザ（例えば、ユーザ１０７）によって申請されたクエリ要求の画像８０５の描写を含む。提示ユーザ（例えば、ユーザ１０９）は、テキストデータ１００５を提供することにより、提示インターフェース９００を介してクエリ提示を提供することができる。いくつかの例示的な実施形態では、ユーザ１０９は、第三者サーバ１０５に位置するアイテムへの参照を提供することができる。ユーザ１０９は、テキストデータ１００５を提供した後、提示アイコン１０１０に対する入力を行うことができ、この入力に応答して、クラウド支援型クエリシステム１１０は、クエリ要求に関連付けられたメモリ位置におけるクエリ提示と、画像８０５とをデータベース１２０内でインデックス付けすることができる。
【００５８】
いくつかの例示的な実施形態では、クラウド支援型クエリシステム１１０は、提示アイコン１０１０に対する入力を受け取ることに応答して、要求ユーザ（例えば、ユーザ１０７）にクエリ提示を通知するためにクライアント装置１０６に通知を表示させる。これにより、要求ユーザは、クエリ提示を見て、「好む」を示したり、「好まない」を示したり、またはデータベース１２０からクエリ提示を削除したりすることができる。
【００５９】
［マシンアーキテクチャ］
図１１は、いくつかの例示的な実施形態による、機械可読媒体（例えば、機械可読記憶媒体）から命令を読み取り、本明細書に記載する方法のうちの任意の１つ以上を実行可能なマシン１１００のコンポーネントを示すブロック図である。具体的には、図１１は、本明細書に記載する方法のうちの任意の１つ以上をマシン１１００に実行させるための命令１１１６（例えば、ソフトウェア、プログラム、アプリケーション、アプレット、アプリ、または他の実行可能コード）が実行され得るコンピュータシステムの例示的な形態によるマシン１１００の概略図を示している。これらの命令は、プログラムされていない一般的なマシンを、本明細書に記載され図示された機能を実行するようにプログラムされた特定のマシンに変換する。マシン１１００は、いくつかの実施形態と一致するように、クライアント装置１０６またはクラウド支援型クエリシステム１１０に対応し得る。
【００６０】
マシン１１００は、スタンドアロン装置として動作してもよいし、または他のマシンに結合（例えば、ネットワーク接続）されてもよい。ネットワーク化されたデプロイメントにおいて、マシン１１００は、サーバクライアントネットワーク環境でサーバマシンまたはクライアントマシンの能力にて動作し、ピアツーピア（または分散）ネットワーク環境ではピアマシンとして動作し得る。非限定的な例として、マシン１１００は、サーバコンピュータ、クライアントコンピュータ、パーソナルコンピュータ（ＰＣ）、タブレットコンピュータ、ラップトップコンピュータ、ネットブック、セットトップボックス（ＳＴＢ）、パーソナルデジタルアシスタント（ＰＤＡ）、エンターテイメントメディアシステム、携帯電話、スマートフォン、モバイルデバイス、ウェアラブルデバイス（例えば、スマートウォッチ）、スマートホームデバイス（例えば、スマート電化製品）、その他のスマートデバイス、ウェブ電化製品、ネットワークルータ、ネットワークスイッチ、ネットワークブリッジ、またはマシン１１００が取るべき動作を指定する命令１１１６を順次にまたは他の方法で実行可能な任意のマシンを含み得るかまたはそれに対応し得る。さらに、単一のマシン１１００のみが示されているが、「マシン」という用語は、本明細書に記載する方法のうちの任意の１つ以上を実行するために個別にまたは共同で命令１１１６を実行するマシン１１００の集合も含むものと解釈されるべきである。
【００６１】
マシン１１００は、プロセッサ１１１０、メモリ１１３０、および入出力（Ｉ／Ｏ）コンポーネント１１５０を含み得る。これらはバス１１０２を介するなどして互いに通信するように構成され得る。例示的な実施形態では、プロセッサ１１１０（例えば、中央処理装置（ＣＰＵ）、縮小命令セット計算（ＲＩＳＣ）プロセッサ、複合命令セット計算（ＣＩＳＣ）プロセッサ、グラフィック処理ユニット（ＧＰＵ）、デジタル信号プロセッサ（ＤＳＰ）、特定用途向け集積回路（ＡＳＩＣ）、無線周波数集積回路（ＲＦＩＣ）、他のプロセッサ、またはそれらの任意の適切な組み合わせ）は、例えば、命令１１１６を実行することができるプロセッサ１１１２およびプロセッサ１１１４を含み得る。「プロセッサ」という用語は、命令を同時に実行することができる２つ以上の独立したプロセッサ（「コア」とも呼ばれる）を含み得るマルチコアプロセッサを含むことを意図している。図１１は複数のプロセッサ１１１０を示しているが、マシン１１００は、単一のコアを有する単一のプロセッサ、複数のコア（例えば、マルチコアプロセス）を有する単一のプロセッサ、単一のコアを有する複数のプロセッサ、複数のコアを有する複数のプロセッサ、またはそれらの任意の組み合わせを含み得る。
【００６２】
メモリ／ストレージ１１３０は、メインメモリなどのメモリ１１３２もしくは他のメモリストレージと、ストレージユニット１１３６とを含み得る。これらは両方ともバス１１０２を介するなどしてプロセッサ１１１０にアクセス可能である。ストレージユニット１１３６とメモリ１１３２は、本明細書に記載する方法または機能のうちの任意の１つ以上を具現化する命令１１１６を記憶する。命令１１１６は、マシン１１００によるその実行中に、メモリ１１３２内か、ストレージユニット１１３６内か、プロセッサ１１１０のうちの少なくとも１つの内部（例えば、プロセッサのキャッシュメモリ内）か、またはそれらの任意の適切な組み合わせ内に、完全にまたは部分的に存在し得る。したがって、メモリ１１３２、ストレージユニット１１３６、およびプロセッサ１１１０のメモリは、機械可読媒体の例である。
【００６３】
本明細書で使用される「機械可読媒体」は、命令およびデータを一時的または永続的に記憶可能なデバイスを意味し、これらに限定されないが、ランダムアクセスメモリ（ＲＡＭ）、読み出し専用メモリ（ＲＯＭ）、バッファメモリ、フラッシュメモリ、光学メディア、磁気メディア、キャッシュメモリ、他の種類の記憶装置（例えば、消去可能プログラマブル読み出し専用メモリ（ＥＥＰＲＯＭ））および／またはそれらの任意の適切な組み合わせを含み得る。「機械可読媒体」という用語は、命令１０１６を記憶可能な単一の媒体または複数の媒体（例えば、集中型または分散型データベース、または関連するキャッシュおよびサーバ）を含むと解釈されるべきである。また、「機械可読媒体」という用語は、マシン（例えば、マシン１１００）が実行するための命令（例えば、命令１１１６）を記憶可能な任意の媒体、または複数の媒体の組み合わせを含むものと解釈されるものであり、これらの命令は、マシン１１００の１つまたは複数のプロセッサ（例えば、プロセッサ１１１０）によって実行されるときに本明細書に記載の方法のうちの任意の１つ以上をマシン１１００に実行させる。したがって、「機械可読媒体」は、単一の記憶装置またはデバイスだけでなく、複数の記憶装置またはデバイスを含む「クラウドベース」の記憶システムまたは記憶ネットワークも指す。「機械可読媒体」という用語それ自体は信号を除外する。
【００６４】
Ｉ／Ｏコンポーネント１１５０は、入力を受信し、出力を提供し、出力を生成し、情報を送信し、情報を交換し、測定値を取り込むなどのための多種多様な構成要素を含み得る。特定のマシンに含まれる特定のＩ／Ｏコンポーネント１１５０は、マシンの種類に依存する。例えば、携帯電話などのポータブルマシンはタッチ入力デバイスまたは他のそのような入力機構を含む可能性があるが、ヘッドレスサーバマシンはそのようなタッチ入力デバイスを含まない可能性が高い。Ｉ／Ｏコンポーネント１１５０は図１１に示されていない他の多くの構成要素を含み得ることが理解され得る。Ｉ／Ｏコンポーネント１１５０は、単に以下の説明を単純化するために機能に従ってグループ化されているが、このようなグループ化は決して限定的なものではない。種々の例示的な実施形態では、Ｉ／Ｏコンポーネント１１５０は、出力コンポーネント１１５２と、入力コンポーネント１１５４とを含み得る。出力コンポーネント１１５２は、視覚コンポーネント（例えば、プラズマディスプレイパネル（ＰＤＰ）、発光ダイオード（ＬＥＤ）ディスプレイ、液晶ディスプレイ（ＬＣＤ）、プロジェクタ、または陰極線管（ＣＲＴ）などのディスプレイ）や、音響コンポーネント（例えば、スピーカ）や、触覚コンポーネント（例えば、振動モータ、抵抗機構）や、その他の信号発生器などを含み得る。入力コンポーネント１１５４は、英数字入力コンポーネント（例えば、キーボード、英数字入力を受け取るように構成されたタッチスクリーン、フォトオプティカルキーボード、または他の英数字入力コンポーネント）や、ポイントベースの入力コンポーネント（例えば、マウス、タッチパッド、トラックボール、ジョイスティック、モーションセンサ、または他のポインティングデバイス）や、触覚入力コンポーネント（例えば、物理ボタン、タッチまたはタッチジェスチャの位置および／または力を提供するタッチスクリーン、またはその他の触覚入力コンポーネント）や、オーディオ入力コンポーネント（例えば、マイク）などを含み得る。
【００６５】
さらなる例示的な実施形態では、Ｉ／Ｏコンポーネント１１５０は、種々のコンポーネントの中でもとりわけ、バイオメトリックコンポーネント１１５６、モーションコンポーネント１１５８、環境コンポーネント１１６０、または、位置コンポーネント１１６２を含み得る。例えば、バイオメトリックコンポーネント１１５６は、表情（例えば、手の表情、顔の表情、声の表情、身体のジェスチャ、または目の動き）を検出し、生体信号（例えば、血圧、心拍数、体温、発汗、または脳波）を測定し、人物の識別（例えば、音声識別、網膜識別、顔識別、指紋識別、または脳波に基づく識別）などを行うための構成要素を含み得る。モーションコンポーネント１１５８は、加速度センサ部品（例えば、加速度計）や、重力センサ部品や、回転センサ部品（例えば、ジャイロスコープ）などを含み得る。環境コンポーネント１１６０は、例えば、照度センサ部品（例えば、光度計）や、温度センサ部品（例えば、周囲温度を検出する１つまたは複数の温度計）や、湿度センサ部品や、圧力センサ部品（例えば、気圧計）や、音響センサ部品（例えば、背景雑音を検出する１つまたは複数のマイクロフォン）や、近接センサ部品（例えば、近くの物体を検出する赤外線センサ）や、ガスセンサ（例えば、安全のために有害ガスの濃度を検出したり大気中の汚染物質を測定したりするためのガス検出センサ）や、あるいは、周囲の物理的環境に対応する指標、測定値、または信号を提供可能な他の構成要素を含み得る。位置コンポーネント１１６２は、位置センサ部品（例えば、ＧＰＳ受信機部品）や、高度センサ部品（例えば、高度が導出され得る気圧を検出する高度計または気圧計）や、方位センサ部品（例えば、磁力計）などを含み得る。
【００６６】
通信は、多種多様な技術を使用して実装され得る。Ｉ／Ｏコンポーネント１１５０は、カップリング１１８２およびカップリング１１７２をそれぞれ介してマシン１１００をネットワーク１１８０またはデバイス１１７０に結合するように動作可能な通信コンポーネント１１６４を含み得る。例えば、通信コンポーネント１１６４は、ネットワーク１１８０とインターフェースするためのネットワークインターフェース構成要素または他の適切なデバイスを含み得る。さらなる例では、通信コンポーネント１１６４は、有線通信構成要素、無線通信構成要素、セルラ通信構成要素、近距離無線通信（ＮＦＣ）構成要素、Ｂｌｕｅｔｏｏｔｈ（登録商標）構成要素（例えば、Ｂｌｕｅｔｏｏｔｈ（登録商標）Ｌｏｗ Ｅｎｅｒｇｙ）、Ｗｉ−Ｆｉ（登録商標）構成要素、および他のモダリティを介して通信を提供するための他の通信構成要素を含み得る。デバイス１１７０は、他のマシンまたは多種多様な周辺デバイス（例えば、ユニバーサルシリアルバス（ＵＳＢ）を介して結合された周辺デバイス）のうちのいずれかとすることができる。
【００６７】
さらに、通信コンポーネント１１６４は、識別子を検出するか、または識別子を検出するように動作可能な構成要素を含み得る。例えば、通信コンポーネント１１６４は、無線周波数識別（ＲＦＩＤ）タグリーダ構成要素、ＮＦＣスマートタグ検出構成要素、光学式リーダ構成要素（例えば、ユニバーサルプロダクトコード（ＵＰＣ）バーコードなどの１次元バーコードや、Ｑｕｉｃｋ Ｒｅｓｐｏｎｓｅ（ＱＲ）コード（登録商標）、Ａｚｔｅｃコード、Ｄａｔａ Ｍａｔｒｉｘ、Ｄａｔａｇｌｙｐｈ、ＭａｘｉＣｏｄｅ、ＰＤＦ４１７、Ｕｌｔｒａ Ｃｏｄｅ、ＵＣＣ ＲＳＳ−２Ｄバーコードなどの多次元バーコード、およびその他の光学コードを検出するための光学センサ）、または音響検出コンポーネント（例えば、タグ付きオーディオ信号を識別するためのマイク）を含み得る。さらには、インターネットプロトコル（ＩＰ）ジオロケーションによる位置、Ｗｉ−Ｆｉ（登録商標）信号三角測量による位置、特定の位置を示すことができるＮＦＣビーコン信号を検出することによる位置などの種々の情報が通信コンポーネント１１６４を介して導出され得る。
【００６８】
［伝送媒体］
種々の例示的な実施形態では、ネットワーク１１８０の１つまたは複数の部分は、アドホックネットワーク、イントラネット、エクストラネット、仮想プライベートネットワーク（ＶＰＮ）、ローカルエリアネットワーク（ＬＡＮ）、無線ＬＡＮ（ＷＬＡＮ）、ワイドエリアネットワーク（ＷＡＮ）、無線ＷＡＮ（ＷＷＡＮ）、メトロポリタンエリアネットワーク（ＭＡＮ）、インターネット、インターネットの一部、公衆交換電話網（ＰＳＴＮ）の一部、一般電話サービス（ＰＯＴＳ）ネットワーク、携帯電話ネットワーク、無線ネットワーク、Ｗｉ−Ｆｉ（登録商標）ネットワーク、他の種類のネットワーク、または２つ以上のそのようなネットワークの組み合わせであり得る。例えば、ネットワーク１１８０またはネットワーク１１８０の一部が無線またはセルラネットワークを含み得るものであり、カップリング１１８２が、符号分割多元アクセス（ＣＤＭＡ）接続、移動体通信用グローバルシステム（ＧＳＭ（登録商標））接続、またはセルラまたはワイヤレスカップリングの他のタイプのものであり得る。この例では、カップリング１１８２は、シングルキャリア無線伝送技術（１ｘＲＴＴ）、エボリューションデータ最適化（ＥＶＤＯ）技術、汎用パケット無線サービス（ＧＰＲＳ）技術、ＧＳＭエボリューション高速データレート（ＥＤＧＥ）技術、３Ｇを含む第３世代パートナーシッププロジェクト（３ＧＰＰ）、第４世代ワイヤレス（４Ｇ）ネットワーク、ユニバーサルモバイルテレコミュニケーションシステム（ＵＭＴＳ）、高速パケットアクセス（ＨＳＰＡ）、マイクロ波アクセスのための世界規模相互運用性（ＷｉＭＡＸ）、ロングタームエボリューション（ＬＴＥ）規格、その他の種々の規格設定機関によって規定されたもの、他の長距離プロトコル、または他のデータ転送技術などの種々のタイプのデータ転送技術のうちの任意のものを実装し得る。
【００６９】
命令１１１６は、ネットワークインターフェースデバイス（例えば、通信コンポーネント１１６４に含まれるネットワークインターフェース構成要素）を介して伝送媒体を使用するとともに、複数の周知の伝送プロトコル（例えば、ハイパーテキスト転送プロトコル（ＨＴＴＰ））のうちの任意の１つを利用して、ネットワーク１１８０を介して送信または受信され得る。同様に、命令１１１６は、カップリング１１７２（例えば、ピアツーピアカップリング）を介して伝送媒体を使用してデバイス１１７０に送信または受信され得る。「伝送媒体」という用語は、マシン１１００による実行のための命令１１１６を記憶し、符号化し、または搬送することが可能な任意の無形媒体を含むと解釈されるべきであり、そのようなソフトウェアの通信を容易にするためのデジタルまたはアナログ通信信号または他の無形媒体を含む。
【００７０】
［モジュール、コンポーネント、およびロジック］
本明細書に記載されるいくつかの実施形態は、ロジック、あるいは多数のコンポーネント、モジュール、または機構を含む。モジュールは、ソフトウェアモジュール（例えば、機械可読媒体上または伝送信号内に具現化されたコード）またはハードウェアモジュールのいずれかを構成し得る。ハードウェアモジュールは、いくつかの動作を実行可能な有形のユニットであり、何らかの方法で構成または配置され得る。例示的な実施形態では、１つまたは複数のコンピュータシステム（例えば、スタンドアロン、クライアント、またはサーバコンピュータシステム）、またはコンピュータシステムの１つまたは複数のハードウェアモジュール（例えば、プロセッサまたはプロセッサ群）は、本明細書に記載されるいくつかの動作を実行するように動作するハードウェアモジュールとしてソフトウェア（例えば、アプリケーションまたはアプリケーション部分）によって構成され得る。
【００７１】
種々の実施形態において、ハードウェアモジュールは機械的または電子的に実装され得る。例えば、ハードウェアモジュールは、いくつかの動作を実行するように永続的に構成された専用回路またはロジックを（例えば、フィールドプログラマブルゲートアレイ（ＦＰＧＡ）またはＡＳＩＣなどの専用プロセッサとして）含み得る。また、ハードウェアモジュールは、いくつかの動作を実行するようにソフトウェアによって一時的に構成された（例えば、汎用プロセッサまたは他のプログラマブルプロセッサ内に含まれる）プログラマブルロジックまたは回路を含み得る。なお、ハードウェアモジュールを機械的に実装するか、永続的に構成された専用回路で実装するか、または一時的に構成された（例えば、ソフトウェアによって構成された）回路で実装するかの判断は、コストおよび時間を考慮して行われ得ることが理解され得る。
【００７２】
したがって、「ハードウェアモジュール」という用語は、何らかの方法で動作するようにおよび／または本明細書に記載されるいくつかの動作を実行するように、物理的に構成されるか、永続的に構成（例えば、ハードワイヤード）されるか、または一時的に構成（例えば、プログラム）される有形エンティティを含むと理解されるべきである。ハードウェアモジュールが一時的に構成（例えば、プログラム）される実施形態を考慮した場合、それらハードウェアモジュールの各々はいずれか１つの時間インスタンスで構成またはインスタンス化される必要はない。例えば、ハードウェアモジュールが、ソフトウェアを使用して構成された汎用プロセッサを含む場合、汎用プロセッサは異なる時間でそれぞれ異なるハードウェアモジュールとして構成され得る。このように、ソフトウェアは、例えば、ある時間インスタンスで特定のハードウェアモジュールを構築し、異なる時間インスタンスで異なるハードウェアモジュールを構築するようにプロセッサを構成し得る。
【００７３】
ハードウェアモジュールは、他のハードウェアモジュールに情報を提供し、他のハードウェアモジュールから情報を受信し得る。したがって、上記ハードウェアモジュール同士は通信可能に結合されていると見なすことができる。このような複数のハードウェアモジュールが同時に存在する場合、通信は信号伝送を介して（例えば、ハードウェアモジュールを接続する適切な回路およびバスを介して）実現され得る。複数のハードウェアモジュールが異なる時間に構成またはインスタンス化される実施形態では、そのようなハードウェアモジュール間の通信は、例えば、それら複数のハードウェアモジュールがアクセスするメモリ構造内の情報の記憶および取得を通じて実現され得る。例えば、１つのハードウェアモジュールが動作を実行し、その動作の出力をそれと通信可能に結合されているメモリデバイスに記憶し得る。そして、後の時点で、別のハードウェアモジュールがメモリデバイスにアクセスし、記憶されている出力を取得して処理し得る。また、ハードウェアモジュールは、入力デバイスまたは出力デバイスとの通信を開始してもよく、リソース（例えば、情報の集まり）上で動作することが可能である。
【００７４】
本明細書に記載される例示的な方法の各種動作は、関連する動作を実行するように一時的に（例えば、ソフトウェアによって）構成されるかまたは永続的に構成される１つまたは複数のプロセッサによって少なくとも部分的に実行され得る。一時的に構成されているか永続的に構成されているかによらず、そのようなプロセッサは、１つまたは複数の動作または機能を実行するように動作するプロセッサ実装モジュールを構成し得る。本明細書で言及するモジュールは、いくつかの例示的な実施形態では、プロセッサ実装モジュールを含み得る。
【００７５】
同様に、本明細書に記載される方法は、少なくとも部分的にプロセッサにより実施され得る。例えば、ある方法の動作のうちの少なくともいくつかは、１つまたは複数のプロセッサまたはプロセッサ実装モジュールによって実行され得る。複数の動作のうちある動作の実行を１つまたは複数のプロセッサ間で分散させてもよく、その実行を単一のマシン内に常駐させるだけでなく、複数のマシンにわたってデプロイさせてもよい。いくつかの例示的な実施形態では１つまたは複数のプロセッサは単一の場所（例えば、家庭環境、オフィス環境、またはサーバファーム内）に配置され得るが、他の実施形態ではプロセッサはいくつかの場所にわたって分散され得る。
【００７６】
また、１つまたは複数のプロセッサは、「クラウドコンピューティング」環境において、または「サービス型ソフトウェア」（ＳａａＳ）として、関連する動作の実行をサポートするように動作し得る。例えば、動作のうちの少なくともいくつかは、これらの動作がネットワーク（例えば、インターネット）を介して、さらには１つまたは複数の適切なインターフェース（例えば、ＡＰＩ）を介してアクセス可能な一群のコンピュータによって（例えば、プロセッサを含むマシンの例として）実行され得る。
【００７７】
［電子装置およびシステム］
例示的な実施形態は、デジタル電子回路で実装さるか、コンピュータハードウェア、ファームウェア、もしくはソフトウェアで実装されるか、またはそれらの組み合わせで実装され得る。例示的な実施形態は、コンピュータプログラム製品を使用して実施され得る。例えば、例示的な実施形態は、データ処理装置（例えば、プログラマブルプロセッサ、コンピュータ、または複数のコンピュータ）による実行のために、またはデータ処理装置の動作を制御するために、情報キャリア内、例えば、機械可読媒体内に有形に具現化されたコンピュータプログラムを使用して実施され得る。
【００７８】
コンピュータプログラムは、コンパイル言語またはインタプリタ言語を含む任意の形態のプログラミング言語で記述することができ、スタンドアロンプログラムとして含むか、あるいはモジュール、サブルーチン、またはコンピューティング環境での使用に適した他のユニットとして含む任意の形態でデプロイすることができる。コンピュータプログラムは、１つのサイトにおける１つまたは複数のコンピュータ上で実行されるようにデプロイされ得るか、あるいは、複数のサイトにわたって分散されるとともに通信ネットワークによって相互接続され得る。
【００７９】
例示的な実施形態において、動作は、入力データを処理し出力を生成することによって機能を実行するようにコンピュータプログラムを実行する１つまたは複数のプログラマブルプロセッサによって実行され得る。また、方法の動作は、特定用途ロジック回路（例えば、ＦＰＧＡまたはＡＳＩＣ）によって実行することが可能であり、例示的な実施形態の装置は特定用途ロジック回路として実装され得る。
【００８０】
コンピューティングシステムは、クライアントおよびサーバを含み得る。クライアントとサーバは一般には互いに離れており、通常は通信ネットワークを介して相互作用する。クライアントとサーバの関係は、それぞれのコンピュータ上で実行されて互いにクライアント−サーバの関係を有するコンピュータプログラムによって生じる。プログラマブルコンピューティングシステムをデプロイする実施形態では、ハードウェアアーキテクチャとソフトウェアアーキテクチャとの両方を考慮することが有益であることが理解され得る。特定の機能を永続的に構成されたハードウェア（例えば、ＡＳＩＣ）で実装するか、一時的に構成されたハードウェア（例えば、ソフトウェアとプログラマブルプロセッサとの組み合わせ）で実装するか、または永続的に構成されたハードウェアと一時的に構成されたハードウェアとの組み合わせで実装するかの選択は設計上の選択であり得ることが理解され得る。種々の例示的な実施形態では、デプロイ可能なハードウェア（例えば、マシン）アーキテクチャとソフトウェアアーキテクチャが説明されている。
【００８１】
本発明の実施形態を特定の例示的な実施形態を参照して説明したが、本発明の主題のより広い範囲から逸脱することなくこれらの実施形態に種々の変形および変更を加えることができることは明らかである。したがって、明細書および図面は限定的な意味ではなく例示的な意味で見なされるべきである。本明細書の一部を形成する添付の図面は、限定ではなく例示として、本主題を実施することができる特定の実施形態を示す。例示された実施形態は、当業者が本明細書に開示された教示を実施することを可能とするのに十分に詳細に記載されている。本開示の範囲から逸脱することなく構造的および論理的な置換や変更を行うことができるように他の実施形態を使用したり他の実施形態から派生させたりすることができる。したがって、この詳細な説明は限定的な意味で解釈されるべきではなく、種々の実施形態の範囲は添付の特許請求の範囲とそのような特許請求の範囲により権利が与えられる等価物の全範囲によってのみ定義される。
【００８２】
本発明の主題のそのような実施形態は、本明細書において、個別におよび／またはまとめて「発明」という用語によって言及され得るが、この用語は単に便宜上のものであり、２つ以上の発明が実際に開示されている場合に、本出願の範囲を任意の単一の発明または発明概念に自発的に限定することを意図するものではない。したがって、本明細書において特定の実施形態を例示して説明したが、同じ目的を達成するために作られた任意の構成を図示された特定の実施形態の代わりに使用できることが理解され得る。本開示は、種々の実施形態のあらゆる適応または変形を網羅することを意図している。上記した実施形態と本明細書に具体的に記載されていない他の実施形態との組み合わせは、上記した説明を検討すれば当業者には明らかである。
【００８３】
本明細書で言及されるすべての刊行物、特許、および特許文書は、個々に参照により組み込まれるのと同様に、その全体が参照により本明細書に組み込まれる。本明細書と参照によりそのように組み込まれるそれらの文書との間で矛盾した用法がある場合には、組み込まれた参考文献における用法は本明細書のそれに対する補足と考えられるべきである。相いれない矛盾については、本明細書における使用法が支配する。
【００８４】
本明細書では、特許文献において一般的であるように、「１つ」という用語は、他の事例あるいは「少なくとも１つ」または「１つまたは複数」の用法とは独立して、１つまたは複数を含むように使用される。本明細書において、「または」という用語は非排他的な「または」を指すように使用され、「ＡまたはＢ」は、特に明記しない限りは、「ＡであるがＢではない」、「ＢであるがＡではない」、ならびに「ＡおよびＢ」を含む。添付の特許請求の範囲において、「含む」という用語は、「備える」という用語の等価物として使用される。また、添付の特許請求の範囲において、「含む」および「備える」はオープンエンドの用語であり、ある請求項においてそのような用語の後に列挙されているものに加えてさらなる要素を含むシステム、装置、物品、またはプロセスも、依然としてその請求項の範囲内にあると見なされる。
【図１】
2019536148.tif 000003
【図２】
2019536148.tif 000004
【図３】
2019536148.tif 000005
【図４】
2019536148.tif 000006
【図５】
2019536148.tif 000007
【図６】
2019536148.tif 000008
【図７】
2019536148.tif 000009
【図８】
2019536148.tif 000010
【図９】
2019536148.tif 000011
【図１０】
2019536148.tif 000012
【図１１】
2019536148.tif 000013
【国際調査報告】
2019536148.tif 000014